【手続補正書】
【提出日】平成17年3月2日(2005.3.2)
【手続補正１】
【補正対象書類名】明細書
【補正対象項目名】請求項４
【補正方法】変更
【補正の内容】
【請求項４】
給水配管前端の第１雌ネジ(11)付き接続口(1A)と混合水栓(F)後端の第１雄ネジ(21)付き水導入口(2A)との間、および給湯配管前端の第１雌ネジ(11)付き接続口(1B)と混合水栓(F)後端の第１雄ネジ(21)付き湯導入口(2B)との間のうち少なくともいずれか一方に介在されるか、または、給水配管前端の第１雌ネジ付き接続口と単水栓後端の第１雄ネジ付き水導入口との間に介在される分水用管継手(30A)であって、
前後両端に第１雌ネジ(11)および第１雄ネジ(21)と比べて径の小さい径小雄ネジ(303)を有する突出口(302)が設けられ、かつ周壁に分岐口(304)が外方突出状設けられている略筒状の管継手本体(301)と、
外周の前後いずれか一方の略半部に第１の種類よりなる第２雄ネジ(331)を有し、同他方の略半部に第２の種類よりなる第３雄ネジ(332)を有するとともに、内周に、前後両端のうち所要の一方の端から管継手本体(301)の後突出口(302)の径小雄ネジ(303)にねじ嵌められる径小雌ネジ(333)を有する略環状の第１端部材(33)と、
内周の前後いずれか一方の端部に第１の種類よりなる第２雌ネジ(341)を有し、同他方の端部に第２の種類よりなる第３雌ネジ(342)を有するとともに、内周の長さ中間部に、前後両端のうち所要の一方の端から管継手本体(301)の前突出口(302)の径小雄ネジ(303)にねじ嵌められる径小雌ネジ(343)を有する略環状の第２端部材(34)とを備えており、
第１端部材(33)は、第１雌ネジ(11)が第１の種類よりなる場合には、その第２雄ネジ(331)が管継手(30A)後端に位置するように管継手本体(31)に接続され、また、第１雌ネジ(11)が第２の種類よりなる場合には、その第３雄ネジ(332)が管継手(30A)後端に位置するように管継手本体(31)に接続され、
第２端部材(34)は、第１雄ネジ(21)が第１の種類よりなる場合には、その第２雌ネジ(341)が管継手(30A)前端に位置するように管継手本体(301)に接続され、また、第１雄ネジ(21)が第２の種類よりなる場合には、その第３雌ネジ(342)が管継手(30A)前端に位置するように管継手本体(301)に接続される、分水用管継手。
【手続補正２】
【補正対象書類名】明細書
【補正対象項目名】請求項８
【補正方法】変更
【補正の内容】
【請求項８】
管継手本体(31B)の後端面に、第１端部材(33)の第２雄ネジ(331)および第３雄ネジ(332)のうち管継手本体(31B)側に配される方を収容し得る環状凹陥部(314)が設けられている、請求項７記載の管継手。
【手続補正３】
【補正対象書類名】明細書
【補正対象項目名】０００６
【補正方法】変更
【補正の内容】
【０００６】
そして、給水管側クランク(C1)の雌ネジ(11)および混合水栓(F)の水導入口(2A)の雄ネジ(21)がＷ２８山１８である場合、分岐ソケット(9)は、図７（ａ）に示すように、ニップル体(91)の雌ネジ(912)に第２のナット(92)の雄ネジ(921)をねじ込んだ形態、即ち、分岐ソケット(9)後端にＷ２８山１８の雄ネジ(911)が配されると共に、同前端にＷ２８山１８の雌ネジ(922)が配された形態で、給水管側クランク(C1)と混合水栓(F)の水導入口(2A)との間に介在固定される。
【手続補正４】
【補正対象書類名】明細書
【補正対象項目名】００４０
【補正方法】変更
【補正の内容】
【００４０】
管継手本体(31)の後端面には、第１端部材(33)の第２雄ネジ(331)および第３雄ネジ(332)のうち管継手本体(31)側に配される方を収容し得る環状凹陥部(314)が設けられている。後突出口(311)は、この環状凹陥部(314)の中心部に設けられている。後突出口(311)の長さ中間部には、環状段差(311a)が設けられている。後突出口(311)における環状段差(311a)よりも後側の部分に、前記径小雄ネジ(312)が形成されている。
【手続補正５】
【補正対象書類名】明細書
【補正対象項目名】００４２
【補正方法】変更
【補正の内容】
【００４２】
回動部材(32)の分岐口(321)は、同部材(32)の他の部分と一体に形成されている。もっとも、回動部材(32)の分岐口(321)とその他の部分とを別体に形成して、こられを溶接等によって接合一体化するようにしても勿論よい。分岐口(321)の先端部内には、逆止弁(5)が収容されるようになっている（図３参照）。分岐口(321)の先端部に雄ネジ(321a)が設けられ、この雄ネジ(321a)に、分水コック(6)の基端に設けられたナット(61)がねじ嵌められるようになっている。分岐管(P3)は、その基端に取り付けられたプラグ(P31)を、分水コック(6)の先端に設けられたソケット(62)に差し込むことによって、着脱自在に接続されるようになっている。
【手続補正６】
【補正対象書類名】明細書
【補正対象項目名】００４８
【補正方法】変更
【補正の内容】
【００４８】
また、図示は省略したが、例えば、第１雌ネジ(11)が第１の種類（Ｇ３／４ネジ）よりなり、第１雄ネジ(21)が第２の種類（Ｗ２８山１８ネジ）よりなる場合、分水用管継手(3A)は、以下のような形態となされる。即ち、第１端部材(33)の第２雄ネジ(331)（Ｇ３／４）が管継手(3A)後端に位置するように、管継手本体(31)の後突出口(311)の径小雄ネジ(312)に、第１端部材(33)の径小雌ネジ(333)が、所要の一端側からねじ嵌められている。また、第２端部材(34)の第３雌ネジ(342)（Ｗ２８山１８）が管継手(3A)前端に位置するように、管継手本体(31)の前突出口(311)の径小雄ネジ(312)に、第２端部材(34)の径小雌ネジ(343)が、所要の他端側からねじ嵌められている。そして、第２雄ネジ(331)が第１雌ネジ(11)にねじ込まれ、第３雌ネジ(342)が第１雄ネジ(21)にねじ嵌められることにより、分水用管継手(3A)が、給水配管前端の接続口(1A)と混合水栓(F)の水導入口(2A)との間に介在固定される。
【手続補正７】
【補正対象書類名】明細書
【補正対象項目名】００５５
【補正方法】変更
【補正の内容】
【００５５】
また、図示は省略したが、例えば、第１雌ネジ(11)が第１の種類（Ｇ３／４ネジ）よりなり、第１雄ネジ(21)が第２の種類（Ｗ２８山１８ネジ）よりなる場合には、管継手(3B)は、以下のような形態となされる。即ち、第１端部材(33)が、その第２雄ネジ(331)（Ｇ３／４）が管継手(3B)後端に位置するように、管継手本体(31B)に接続され、また、第２端部材(34)が、その第３雌ネジ(342)（Ｗ２８山１８）が管継手(3B)前端に位置するように、管継手本体(31B)に接続されている。そして、第２雄ネジ(331)が第１雌ネジ(11)にねじ込まれ、第３雌ネジ(432)が第１雄ネジ(21)にねじ嵌められることにより、管継手(3B)が、給湯配管前端の接続口(1B)と混合水栓(F)の湯導入口(2B)との間に介在固定される。
【手続補正８】
【補正対象書類名】明細書
【補正対象項目名】００６５
【補正方法】変更
【補正の内容】
【００６５】
また、図示は省略したが、例えば、第１雌ネジ(11)が第１の種類（Ｇ３／４ネジ）よりなり、第１雄ネジ(21)が第２の種類（Ｗ２８山１８ネジ）よりなる場合、分水用管継手(30A)は、以下のような形態となされる。即ち、第１端部材(33)は、その第２雄ネジ(331)（Ｇ３／４）が分水用管継手(30A)後端に位置するように、管継手本体(301)に接続され、また、第２端部材(34)は、その第３雌ネジ(342)（Ｗ２８山１８）が分水用管継手(30A)前端に位置するように、管継手本体(301)に接続されている。そして、第２雄ネジ(331)が第１雌ネジ(11)にねじ込まれ、第３雌ネジ(342)が第１雄ネジ(21)にねじ嵌められることにより、分水用管継手(30A)が、給水配管前端の接続口(1A)と混合水栓(F)の水導入口(2A)との間に介在固定される。
【手続補正９】
【補正対象書類名】図面
【補正対象項目名】図１
【補正方法】変更
【補正の内容】
【図１】
2003261967.tif 000001